(57)【要約】【課題】簡素な構成で、火炎時のスラットの抜け出しを抑制し、防火性能を向上させることができるシャッター用ガイドレールの防火構造を提供する。【解決手段】シャッター用ガイドレールの防火構造において、スラットの両端に抜け止め部材が設けられ、移動方向の先端に座板が取り付けられるシャッターカーテンと、開口部の上部に取り付けられシャッターカーテンの出入口３９が下面３７に形成されるスチール製の収納ボックス１９と、開口部の両側に固定されシャッターカーテンの側部を受け入れるスリット溝４３を有する一対のアルミ製のガイドレール２３と、スリット溝４３に嵌合され抜け止め片４５を有して側部を受け入れるとともに、それぞれの上端が出入口３９に挿入される一対のスチール製の補強部材２５と、ガイドレール２３と補強部材２５とを下端部同士のみで固定する固定部材と、を設けた。【選択図】  図４
2020016124.tif 000002
【特許請求の範囲】
【請求項１】
複数のスラットを連結して面状に連結構成され幾つかの前記スラットの延在方向両端には抜け止め部材が設けられるとともに、移動方向の先端には座板が取り付けられるシャッターカーテンと、
建物に設けられた開口部の上部に取り付けられ前記開口部を昇降する前記シャッターカーテンを収容するとともに、前記シャッターカーテンが出入りする横長の出入口が下面に形成されるスチール製の収納ボックスと、
前記開口部の両側で建物側に固定され上下方向に延在して前記シャッターカーテンの両側の側部をそれぞれ受け入れる平断面視コ字形状のスリット溝を有する一対のアルミ製のガイドレールと、
上下方向に長尺で形成されそれぞれの前記スリット溝に嵌合され前記抜け止め部材を抜け止めする抜け止め片を有して前記側部を受け入れるとともに、それぞれの上端が前記出入口に挿入される一対のスチール製の補強部材と、
前記ガイドレールと前記補強部材とを下端部同士のみで固定する固定部材と、
を具備することを特徴とするシャッター用ガイドレールの防火構造。
【請求項２】
請求項１記載のシャッター用ガイドレールの防火構造であって、
前記ガイドレールの前記スリット溝には前記座板に設けられた施錠装置から突出するバーと係合するバー受け部材が固定され、
前記固定部材が、最下端に設けられた前記抜け止め部材と前記バー受け部材との間に設けられることを特徴とするシャッター用ガイドレールの防火構造。
【請求項３】
請求項１または２記載のシャッター用ガイドレールの防火構造であって、
前記出入口に挿入された前記補強部材の上端側には、前記側部を表裏から挟む一対の平行な対向板部を上端に向かって徐々に離反させて形成した漏斗状ガイド面が設けられていることを特徴とするシャッター用ガイドレールの防火構造。
【発明の詳細な説明】
【技術分野】
【０００１】
本発明は、シャッター用ガイドレールの防火構造に関する。
【背景技術】
【０００２】
シャッターカーテンの両側縁を案内するガイドレールや、ガイドレールを支持する外枠は、アルミ合金などによる押出成形品が用いられることが多い。アルミ製のガイドレールや外枠は、意匠性を持たせることができ、また防錆性もあり住宅用には好適となる。反面、アルミ製のガイドレールや外枠は、火災発生時に過度の熱を受けると変形を起こし、さらには溶ける可能性があり、シャッター装置の本来の防火性能を十分に発揮できない虞がある。
【０００３】
そこで特許文献１のシャッター用ガイドレールの防火構造は、ガイド部補強材の一方の係止先端縁部が、ガイド部の内表面の開口縁側における内面に形成された係止溝にガイド部の内側から係入される。ガイド部補強材の他方の係止先端部とガイド部とは、抜け止め片に対して抜け止め部材とは反対側の位置において、固定手段により固定される。ガイド部は、その壁部の一部がガイド部補強材と枠部に連結された内側補強材によって挟持されており、この挟持部分において、ガイド部、ガイド部補強材及び内側補強材が固定手段によって固定されている。
【先行技術文献】
【特許文献】
【０００４】
【特許文献１】特許第６２２７７１３号公報
【発明の概要】
【発明が解決しようとする課題】
【０００５】
しかしながら、上記した従来のシャッター用ガイドレールの防火構造は、建物躯体からガイド部までを鋼材で連続して繋ぐ構造であるため、化粧枠材などを有し、部品点数が多く、構造が複雑となり、重量が増加した。また、アルミ製のガイドレールは、火炎により変形や溶融すると、収納部から外れて、シャッターカーテンと反対側に開く。シャッターカーテンは、ガイドレールが開くと、側部がガイドレールから抜け出る虞がある。
【０００６】
本発明は上記状況に鑑みてなされたもので、その目的は、簡素な構造で、火炎によりアルミが溶融してもスラットの抜け出しを抑制し、防火性能を向上させることができるシャッター用ガイドレールの防火構造を提供することにある。
【課題を解決するための手段】
【０００７】
次に、上記の課題を解決するための手段を、実施の形態に対応する図面を参照して説明する。
本発明の請求項１記載のシャッター用ガイドレール６７の防火構造は、複数のスラット２９を連結して面状に連結構成され幾つかの前記スラット２９の延在方向両端には抜け止め部材３１が設けられるとともに、移動方向の先端には座板３３が取り付けられるシャッターカーテン２１と、
建物に設けられた開口部１３の上部に取り付けられ前記開口部１３を昇降する前記シャッターカーテン２１を収容するとともに、前記シャッターカーテン２１が出入りする横長の出入口３９が下面３７に形成されるスチール製の収納ボックス１９と、
前記開口部１３の両側で建物側に固定され上下方向に延在して前記シャッターカーテン２１の両側の側部４１をそれぞれ受け入れる平断面視コ字形状のスリット溝４３を有する一対のアルミ製のガイドレール２３と、
上下方向に長尺で形成されそれぞれの前記スリット溝４３に嵌合され前記抜け止め部材３１を抜け止めする抜け止め片４５を有して前記側部４１を受け入れるとともに、それぞれの上端が前記出入口３９に挿入される一対のスチール製の補強部材２５と、
前記ガイドレール２３と前記補強部材２５とを下端部同士のみで固定する固定部材２７と、
を具備することを特徴とする。
【０００８】
このシャッター用ガイドレール６７の防火構造では、アルミ製のガイドレール２３に、スリット溝４３と嵌合して取り付けられたスチール製の補強部材２５が、上端を収納ボックス１９に挿入している。このため、シャッターカーテン２１は、仮にガイドレール２３の上端が変形や溶融により収納ボックス１９から外れても、側部４１と係合している補強部材２５が出入口３９に挿入されたまま残る。側部４１と係合した一対の補強部材２５は、横長の出入口３９の延在方向両端において、シャッターカーテン２１を両側から挟んで出入口３９に嵌った状態となる。シャッターカーテン２１は、両側の側部４１が補強部材２５に保持された状態を維持できる。つまり、アルミが溶融してもスラット２９の抜け出しを抑制できる。その結果、シャッター用ガイドレール６７の防火構造は、ガイドレール２３がアルミ製の単一構造の場合に比べ、脱落を遅延させることができる。
また、ガイドレール２３と補強部材２５とは、下端部同士のみを固定することにより、加熱された際の変位が上端で自由となる。これにより、火炎にさらされたガイドレール２３と補強部材２５が大きく変形して、スリット溝４３からシャッターカーテン２１の側部４１が抜けることを抑制できる。
さらに、シャッター用ガイドレール６７の防火構造は、ガイドレール２３と補強部材２５との下端部同士のみを固定し、補強部材２５の上端を収納ボックス１９に挿入すればよい。これにより、簡素な構成で防火性能を向上でき、しかも、施工を容易にして、軽量化も達成することができる。
【０００９】
本発明の請求項２記載のシャッター用ガイドレール６７の防火構造は、請求項１記載のシャッター用ガイドレール６７の防火構造であって、
前記ガイドレール２３の前記スリット溝４３には前記座板３３に設けられた施錠装置から突出するバー６１と係合するバー受け部材５９が固定され、
前記固定部材２７が、最下端に設けられた前記抜け止め部材３１と前記バー受け部材５９との間に設けられることを特徴とする。
【００１０】
このシャッター用ガイドレール６７の防火構造では、ガイドレール２３と補強部材２５とが、ガイドレール２３のスリット溝４３で固定される。ガイドレール２３のスリット溝４３は、種々の機能を有する。スリット溝４３に嵌合した補強部材２５には、側部４１の抜け止め部材３１が進入する。また、ガイドレール２３及び補強部材２５の下端には、施錠装置のバー６１が係合するバー受け部材５９が固定される。これら抜け止め部材３１とバー受け部材５９とは、固定相手は異なるが、何れもスリット溝４３の内側に突出して配置される。ここで、バー受け部材５９と、最下端の抜け止め部材３１とは、上下方向にずれて配置される。ガイドレール２３と補強部材２５との下端部同士を固定する固定部材２７は、これらバー受け部材５９と抜け止め部材３１との間に、配設されている。これにより、固定部材２７は、他の機能部品の動作の妨げとならない位置に配置されている。
【００１１】
本発明の請求項３記載のシャッター用ガイドレール６７の防火構造は、請求項１または２記載のシャッター用ガイドレール６７の防火構造であって、
前記出入口３９に挿入された前記補強部材２５の上端側には、前記側部４１を表裏から挟む一対の平行な対向板部５５を上端に向かって徐々に離反させて形成した漏斗状ガイド面５３が設けられていることを特徴とする。
【００１２】
このシャッター用ガイドレール６７の防火構造では、少なくとも補強部材２５の上端が、Ｙ字状となって徐々に拡開される。少なくともとは、補強部材２５のみが拡開されていればよい意味である。シャッターカーテン２１を巻き取って収納する場合では、シャッターカーテン２１が巻き取られた巻回体は、巻き取り量に応じて半径が変化する。つまり、シャッターカーテン２１は、ガイドレール２３のスリット溝４３に進入する位置が、シャッターカーテン２１の厚み方向に変化する。スリット溝４３は、このシャッターカーテン２１の進入する呑み込み口部分が漏斗状ガイド面５３となることにより、巻き取り量により変化するシャッターカーテン２１の進入位置を許容することができる。
【発明の効果】
【００１３】
本発明に係る請求項１記載のシャッター用ガイドレールの防火構造によれば、簡素な構造で、火炎によりアルミが溶融してもスラットの抜け出しを抑制し、防火性能を向上させることができる。
【００１４】
本発明に係る請求項２記載のシャッター用ガイドレールの防火構造によれば、シャッター装置に必須の抜け止め部材やバー受け部材に対する固定部材の干渉を回避できる。
【００１５】
本発明に係る請求項３記載のシャッター用ガイドレールの防火構造によれば、巻き取りや繰り出しにより径が変化するシャッターカーテンを円滑にガイドレールへ送り込むことができる。
【図面の簡単な説明】
【００１６】
【図１】本発明の実施の形態に係るシャッター用ガイドレールの防火構造を備えたシャッター装置の外観を表す斜視図である。
【図２】図１に示した収納ボックス及びガイドレールの要部正面図である。
【図３】図２に示した要部の一部を切り欠いた側断面図である。
【図４】ガイドレール及び補強部材の上端の斜視図である。
【図５】図２の拡大図である。
【図６】（ａ）は固定部材、ガイドレール及び補強部材の分解平断面図、（ｂ）は（ａ）の正面図である。
【図７】（ａ）は固定部材の位置におけるガイドレール及び補強部材の平断面図、（ｂ）は下端部同士が複数箇所で固定される変形例の平断面図である。
【発明を実施するための形態】
【００１７】
以下、本発明に係る実施形態を図面を参照して説明する。
図１は本発明の実施の形態に係るシャッター用ガイドレールの防火構造を備えたシャッター装置１１の外観を表す斜視図である。
本実施の形態に係るシャッター用ガイドレールの防火構造は、例えば住宅の開口部１３を覆うシャッター装置１１に好適に用いることができる。住宅の外壁１５には、開口部１３が設けられる。この開口部１３には、サッシ窓１７が取り付けられる。シャッター装置１１は、サッシ窓１７の外側に取り付けられる。サッシ窓１７の取り付けられた開口部１３の上方には、シャッター装置１１の収納ボックス１９が取り付けられる。
【００１８】
本実施の形態に係るシャッター用ガイドレールの防火構造は、シャッターカーテン２１と、収納ボックス１９と、ガイドレール２３と、補強部材２５と、固定部材（リベット２７）と、を主要な構成として有する。
【００１９】
シャッターカーテン２１は、建物の外壁１５に開口する開口部１３を、外壁１５の外側で昇降して覆う。つまり、シャッターカーテン２１は、サッシ窓１７を外壁１５の外側から覆う。シャッターカーテン２１は、アルミ製やスチール製のスラット２９を複数連結して構成される。
【００２０】
図２は図１に示した収納ボックス１９及びガイドレール２３の要部正面図である。
シャッターカーテン２１は、複数のスラット２９が、隣接する長手方向に沿う両端縁同士を係合することにより、巻回可能な面状に連結構成される。シャッターカーテン２１は、幾つかのスラット２９の延在方向両端に、ガイドレール２３からの抜け出しを規制する抜け止め部材３１が設けられる。なお、抜け止め部材３１は、下から二枚目のスラット２９には、必ず設けられる。また、シャッターカーテン２１は、操り出し方向の先端に、座板３３が取り付けられる。座板３３は、シャッターカーテン２１が下降した際、下枠３５に着座する。この座板３３の近傍には、収納ボックス１９への引き込みを規制するための両側で一対のストッパー３６が設けられてもよい。
【００２１】
収納ボックス１９は、建物に設けられた開口部１３の上部に取り付けられる。収納ボックス１９は、筐体部分がスチール製となる。収納ボックス１９の内方には、シャッターカーテン２１を巻き取り・繰り出すための巻き取り装置（図示略）が収容される。収納ボックス１９は、開口部１３を昇降するシャッターカーテン２１を巻回して収容する。収納ボックス１９の下面３７には、出入口３９（図４参照）が形成される。出入口３９は、外部と収納ボックス１９内との間でシャッターカーテン２１を巻き取り・繰り出すための開口となる。この出入口３９は、スラット２９の長手方向に延在する横長となって収納ボックス１９の下面３７に形成される（図４参照）。
【００２２】
ガイドレール２３は、開口部１３の両側で建物側に固定され上下方向に延在する。ガイドレール２３は、シャッターカーテン２１を挟んで、開口部１３の左右に一対が設けられる。ガイドレール２３は、シャッターカーテン２１の両側の側部４１をそれぞれ受け入れる平断面視コ字形状のスリット溝４３（図６参照）を有する。このガイドレール２３は、アルミ製となる。
【００２３】
図３は図２に示した要部の一部を切り欠いた側断面図である。
補強部材２５は、上下方向に長尺で形成される。補強部材２５は、スチール製となる。補強部材２５は、一対のガイドレール２３のそれぞれのスリット溝４３に嵌合される。補強部材２５は、抜け止め部材３１を抜け止めする一対の抜け止め片４５を有する。一対の抜け止め片４５の間は、抜け止め部材３１の首部４７（図７参照）を挿入するスリット４９となる。抜け止め片４５の上端部分は、Ｙ状に拡がるガイド斜辺部５１となる。
【００２４】
図４はガイドレール２３及び補強部材２５の上端の斜視図である。
補強部材２５は、シャッターカーテン２１の側部４１を受け入れる。この補強部材２５は、それぞれの上端が収納ボックス１９の出入口３９に挿入される。本実施形態において、補強部材２５は、アルミ部材を覆うのではなく、アルミ製のガイドレール２３の内部に挿入される。これにより、耐火構造を構成している。つまり、ガイドレール２３と補強部材２５は、内側が耐火性能の高い二重構造となっている。
【００２５】
出入口３９に挿入された補強部材２５の上端側には、漏斗状ガイド面５３が設けられている。漏斗状ガイド面５３は、側部４１を表裏から挟む一対の平行な対向板部５５（図７参照）を上端に向かって徐々に離反させて形成される。漏斗状ガイド面５３は、補強部材２５のみにより形成することができる。また、漏斗状ガイド面５３は、一体に組み付けて二重構造となったガイドレール２３と補強部材２５とを同時に曲げ加工して形成してもよい。本実施形態では、一体となったガイドレール２３と補強部材２５とをともに曲げ加工して、二重構造の漏斗状ガイド面５３が形成されている。
【００２６】
漏斗状ガイド面５３を形成する一対の平行な対向板部５５は、一方がスリット溝４３となって開口する。一対の平行な対向板部５５は、スリット溝４３と反対側が、ガイドレール２３及び補強部材２５の上端を、スリット溝４３と反対側に傾斜させた傾斜片部５６として形成される。
【００２７】
図５は図２の拡大図である。
固定部材は、ガイドレール２３と補強部材２５とを下端部同士のみで固定する。本実施形態において、固定部材にはリベット２７が使用される。このリベット２７は、ガイドレール２３と補強部材２５の下端部同士を貫通した固定孔５７（図７参照）に挿入固定される。なお、固定部材は、リベット２７に限定されず、ビス等であってもよい。
【００２８】
シャッター用ガイドレールの防火構造において、ガイドレール２３のスリット溝４３には、バー受け部材５９が固定される。バー受け部材５９は、座板３３に設けられた施錠装置（図示略）から突出するバー６１と係合する。リベット２７は、シャッターカーテン２１の最下端に設けられた抜け止め部材３１と、このバー受け部材５９との間に設けられる。
【００２９】
図６（ａ）は固定部材、ガイドレール２３及び補強部材２５の分解平断面図、（ｂ）は（ａ）の正面図である。
リベット２７は、ガイドレール２３及び補強部材２５において、スリット溝４３の溝開口と反対側の溝底壁６３を貫通して挟着される。
【００３０】
図７（ａ）は固定部材（リベット２７）の位置におけるガイドレール２３及び補強部材２５の平断面図、（ｂ）は下端部同士が複数箇所で固定される変形例の平断面図である。
シャッター用ガイドレールの防火構造は、図７（ａ）に示すように、ガイドレール２３と、外枠６５（図１参照）と、補強部材２５とが、シャッター用ガイドレール６７を構成する。
【００３１】
ガイドレール２３は、スリット開口側から外壁１５へ向かって垂直に突出する内固定片６９と、スリット開口７５側と反対側の背側から外壁１５と平行に突出する外係合片７１と、により平断面視略ｈ字形状に形成される。
【００３２】
ガイドレール２３の内固定片６９は、連結ビス（図示略）が貫通可能となる。内固定片６９には、外枠６５の内側板部（図示略）に形成された固定座部が連結ビスにより固定される。また、ガイドレール２３の外係合片７１は、突出先端に係合溝７３を有する。この係合溝７３には、外枠６５の外側板部（図示略）に形成された係合爪部が係合する。
【００３３】
ガイドレール２３のスリット開口７５を挟む対向内面には、消音帯取付溝７７が形成される。この消音帯取付溝７７には、シャッターカーテン２１の側部４１における表裏面に接するモヘア等の消音帯７９が取り付けられる。
【００３４】
本実施形態において、リベット２７は、図７（ａ）に示すように、ガイドレール２３及び補強部材２５において、スリット溝４３の溝開口と反対側の溝底壁６３を貫通してさらに挟着される。なお、リベット２７等の固定部材は、図７（ｂ）に示すように、溝底壁６３に加え、ガイドレール２３及び補強部材２５の奥側の対向板部５５を貫通して設けられてもよい。この場合においても、２つのリベット２７は、高さ方向が同一の位置で設けられる。
【００３５】
次に、上記した構成の作用を説明する。
本実施形態に係るシャッター用ガイドレールの防火構造では、複数のスラット２９が連結されてシャッターカーテン２１が巻回可能な面状に構成される。シャッターカーテン２１は、開口部１３の上部に設けられた収納ボックス１９に、巻き取りが可能となる。収納ボックス１９には、シャッターカーテン２１を巻き取るための巻取り装置が収容される。シャッターカーテン２１は、巻取り装置が駆動されることにより、収納ボックス１９の出入口３９から巻き取り・繰り出される。出入口３９から巻き取り・繰り出されるシャッターカーテン２１は、両側の側部４１が、建物の開口部１３の両側に固定されたガイドレール２３のスリット溝４３に案内され、開口部１３を面状となって昇降する。これにより、シャッターカーテン２１は、開口部１３に設けられているサッシ窓１７を外側から覆う。
【００３６】
ガイドレール２３は、スリット溝４３に、補強部材２５が嵌合される。すなわち、ガイドレール２３は、アルミ製のガイドレール２３の内側に、スチール製の補強部材２５を嵌合した二重構造となっている。シャッターカーテン２１は、実質的には、この補強部材２５を介して側部４１がスリット溝４３に案内される。そのため、補強部材２５の内方には、スラット２９の延在方向両端に設けられた抜け止め部材３１の抜けを規制するための抜け止め片４５が形成されている。
【００３７】
補強部材２５の外側を覆うガイドレール２３は、外枠６５を介して建物側に固定される。ガイドレール２３は、アルミ製の押出成形材からなる。このため、ガイドレール２３は、複雑な断面形状での成形が可能となり、意匠性に優れ、且つ防錆性もスチール部材に比べ優れる。このガイドレール２３が、補強部材２５の外側を覆って外観を形成している。
【００３８】
一方、アルミ部材は、融点がスチール部材よりも低い。アルミ製のガイドレール２３は、火災等により外側から火炎にさらされ、入熱量が所定値を越えると、変形しやすくなる。ガイドレール２３は、仮にアルミ製の単一構造の場合、収納ボックス１９の下面３７が火炎にさらされると、軟化若しくは溶融した上端が、収納ボックス１９の出入口３９から外れる。ガイドレール２３は、上端が収納ボックス１９から外れると、この上端がシャッターカーテン２１と反対側の外側へ開く。シャッターカーテン２１は、一対のガイドレール２３の上端が開くと、スラット同士が延在方向にスライド可能となってしまう場合がある。シャッターカーテン２１は、任意のスラット同士がスライドすることにより、相互の連結が解除され、脱落する虞が生じる。
【００３９】
これに対し、シャッター用ガイドレールの防火構造では、アルミ製のガイドレール２３に、スリット溝４３と嵌合して取り付けられたスチール製の補強部材２５が、上端を収納ボックス１９に挿入している。このため、シャッターカーテン２１は、仮にガイドレール２３の上端が変形や溶融により収納ボックス１９から外れても、側部４１と係合している補強部材２５が出入口３９に挿入されたまま残る。側部４１と係合した一対の補強部材２５は、横長の出入口３９の延在方向両端において、シャッターカーテン２１を両側から挟んで出入口３９に嵌った状態となる。これにより、シャッターカーテン２１は、両側の側部４１が補強部材２５に保持された状態を維持できる。つまり、アルミが溶融してもスラット２９の抜け出しを抑制できる。その結果、シャッター用ガイドレールの防火構造は、ガイドレール２３がアルミ製の単一構造の場合に比べ、脱落を遅延させることができる。
【００４０】
なお、スチール製の補強部材２５が、アルミ製のガイドレール２３のスリット溝４３に嵌合された二重構造であっても、補強部材２５の上端が収納ボックス１９の出入口３９に挿入されていなければ、上記の作用効果は得られない。すなわち、アルミの溶融により、補強部材２５とガイドレール２３がともに収納ボックス１９から外れてしまうためである。
【００４１】
また、ガイドレール２３と補強部材２５とは、下端部同士のみでリベット２７により固定されている。補強部材２５は、上端が出入口３９に挿入されているだけである。スチール製の補強部材２５とアルミ製のガイドレール２３とは、線膨張係数が異なる。ガイドレール２３と補強部材２５とは、下端部同士のみを固定することにより、加熱された際の変位が上端で自由となる。ガイドレール２３と補強部材２５とは、仮に延在方向を複数箇所で固定した場合、変位量の差異により弓状に撓み変形する虞がある。ガイドレール２３と補強部材２５は、弓状に変形すると、抜け止め部材３１に引き抜き力が作用する。これに対し、下端部同士のみを固定したガイドレール２３と補強部材２５では、それぞれの部材の変位が上端で自由となるので、弓状の撓み変形が生じない。これにより、火炎にさらされたガイドレール２３と補強部材２５が大きく変形して、スリット溝４３からシャッターカーテン２１の側部４１が抜けることを抑制できる。
【００４２】
このように、シャッター用ガイドレールの防火構造は、ガイドレール２３と補強部材２５との下端部同士のみを固定し、補強部材２５の上端を収納ボックス１９に挿入すればよい。これにより、簡素な構成で防火性能を向上でき、しかも、施工を容易にして、軽量化も達成することができる。
【００４３】
また、このシャッター用ガイドレールの防火構造では、ガイドレール２３と補強部材２５とが、ガイドレール２３のスリット溝４３で固定される。ガイドレール２３のスリット溝４３は、種々の機能を有する。スリット溝４３に嵌合した補強部材２５には、側部４１の抜け止め部材３１が進入する。また、ガイドレール２３及び補強部材２５の下端には、施錠装置のバー６１が係合するバー受け部材５９が固定される。これら抜け止め部材３１とバー受け部材５９とは、固定相手は異なるが、何れもスリット溝４３の内側に突出して配置される。
【００４４】
ここで、バー受け部材５９と、最下端の抜け止め部材３１とは、互いに干渉しないように上下方向にずれて配置される。ガイドレール２３と補強部材２５との下端部同士を固定する固定部材であるリベット２７は、これらバー受け部材５９と抜け止め部材３１との間に、配設されている。これにより、リベット２７は、他の機能部品の動作の妨げとならない。その結果、シャッター装置１１に必須の抜け止め部材３１やバー受け部材５９に対するリベット２７の干渉を回避できる。
【００４５】
さらに、このシャッター用ガイドレールの防火構造では、少なくとも補強部材２５の上端が、Ｙ字状となって徐々に拡開される。少なくともとは、補強部材２５のみが拡開されていればよい意味である。
【００４６】
シャッターカーテン２１が巻き取られた巻回体は、巻き取り量に応じて半径が変化する。つまり、シャッターカーテン２１は、ガイドレール２３のスリット溝４３に進入する位置が、シャッターカーテン２１の厚み方向に変化する。スリット溝４３は、このシャッターカーテン２１の進入する呑み込み口部分が漏斗状ガイド面５３となることにより、巻き取り量により変化するシャッターカーテン２１の進入位置を許容することができる。その結果、巻き取りや繰り出しにより径が変化するシャッターカーテン２１を円滑にガイドレール２３へ送り込むことができる。
【００４７】
従って、本実施形態に係るシャッター用ガイドレールの防火構造によれば、簡素な構造で、火炎によりアルミが溶融してもスラット２９の抜け出しを抑制し、防火性能を向上させることができる。
【符号の説明】
【００４８】
１３…開口部
１９…収納ボックス
２１…シャッターカーテン
２３…ガイドレール
２５…補強部材
２７…固定部材（リベット）
２９…スラット
３１…抜け止め部材
３３…座板
３７…下面
３９…出入口
４１…側部
４３…スリット溝
４５…抜け止め片
５３…漏斗状ガイド面
５５…対向板部
５９…バー受け部材
６１…バー
６７…シャッター用ガイドレール
【図１】
2020016124.tif 000003
【図２】
2020016124.tif 000004
【図３】
2020016124.tif 000005
【図４】
2020016124.tif 000006
【図５】
2020016124.tif 000007
【図６】
2020016124.tif 000008
【図７】
2020016124.tif 000009